(57)【要約】      （修正有）【課題】護岸工事、堤防工事等において、大型車両が進入し難い狭い工事場所、さらには、地盤が固い場所においても、簡単な構造により容易に杭打ちを可能とするコンパクトな杭打装置を提供する。【解決手段】杭打装置１は、関節または伸縮機構により先端位置２１を三次元方向に移動可能なブーム２２を有し、地中に穴を掘る機能を有する自走式の建設機械２と、ブームの先端位置から垂下された位置に走行レールのついたアタッチメントであるリーダーを有することなく、直接ブームの先端位置に接続されている打設具３とを備える。【選択図】図１
0003219554.tif 000002
【実用新案登録請求の範囲】
【請求項１】
関節または伸縮機構により先端位置を三次元方向に移動可能なブームを有し、地中に穴を掘る機能を有する自走式の建設機械と、前記ブームの先端位置から垂下された位置にリーダーを有しない打設具とを備える杭打装置。
【請求項２】
前記建設機械が穴掘建柱車からなる請求項１記載の杭打装置。
【考案の詳細な説明】
【技術分野】
【０００１】
本考案は、護岸工事、堤防工事等、狭い場所において杭を打つための装置に関して、特に、杭の上部から物理的に力を加えて狭い場所で杭を打設する杭打装置に関するものである。
【背景技術】
【０００２】
土止めや水止めを目的として，工事の施工前に地中に杭が打設されることがあり、従来から用いられている杭打装置は、たとえば、リーダー付きの打設具を有する大型装置が用いられていた（先行文献１）。
【先行技術文献】
【特許文献】
【０００３】
【特許文献１】特開２０１０−１７４４８２号公報
【考案の概要】
【考案が解決しようとする課題】
【０００４】
前述のリーダー付きの大型の杭打装置では、護岸工事や堤防工事等、道路幅が狭い場所においては、杭打装置が工事現場にまで進入することができず、また、打設具にリーダーが存在することから、現場において作業半径を大きく取る必要があり、狭い場所ではこのような大型装置を用いることはできなかった。また、狭い現場においては、組み立て可能な杭打装置を用いることも考えられるが、このような装置は、現場での組立の手間がかかるという問題や杭打ち前に人力で杭を建て込む必要等もあった。さらに、建設装置として小型のミニクレーン等を用いて杭打ちすることも考えられるが、ミニクレーンは動力が小さいため、地盤の固い場所においては、やはり杭を所望の位置に埋設することができないといった問題があった。
【０００５】
本考案は、以上の点に鑑み、簡単な構造により、狭い場所、さらには地盤が固い場所においても、容易に杭打ちを可能とするコンパクトな杭打装置を提供することを目的としている。
【課題を解決するための手段】
【０００６】
上記の目的を達成するべく、本考案による杭打装置は、関節または伸縮機構により先端位置を三次元方向に移動可能なブームを有し、地中に穴を掘る機能を有する全自走式の建設機械と、前記ブームの先端位置から垂下された位置にリーダーを有しない打設具とを備える。
【０００７】
本考案による杭打機は、建設機械が穴掘建柱車からなることを特徴とする。
【考案の効果】
【０００８】
本考案では、関節または伸縮機構により先端位置を三次元方向に移動可能なブームを有し、地中に穴を掘る機能を有する小型の自走式の建設機械、かつ、リーダーを備えない打設具を用いることで、狭い現場であっても杭打装置を容易に進入させることができ、その場で速やかに杭打ちが可能となる。また、建設機械は地中に穴を掘る機能を有していることから、地盤の固い場所に打設具のみで杭打ちできない場合でも、建設機械にオーガー等を接続し、予め杭を埋設する位置に先行掘りによって穴をあけた上で、柔らかくなった地盤上に杭を埋設することが可能となる。
【０００９】
本考案では、穴掘建柱車を用いることで上記のことを全て実現できる。
【図面の簡単な説明】
【００１０】
【図１】本考案による杭打装置の一例を示す説明図
【図２】本考案の打設具接続装置の一例を示す説明図
【図３】本考案による杭打装置を用いて先行掘りする際の一例を示す説明図
【考案を実施するための形態】
【００１１】
図１は、本考案の杭打装置の一実施形態を示している。
【００１２】
本考案による杭打装置１は、たとえば、図１に示されるとおり、関節または伸縮機構により先端位置２１を三次元方向に移動可能なブーム２２を有し、地中に穴を掘る機能を有する自走式の建設機械２と、ブーム２２の先端位置２１から垂下された位置にリーダーを有しない打設具３とを備える。
【００１３】
建設機械２は、たとえば、四輪のタイヤ自走式のトラックであって、その荷台部分に杭を埋設するための動力装置が搭載されていると共に、荷台部分の四隅付近には、荷台部分を地面に対して安定的に保持するためのアウトリガーが装備されている。たとえば、この建設機械２は、地中の土を掘り、掘った穴に電柱等を設置するために、穴掘建柱車からなることが、より望ましいが、これに限られるものではない。
【００１４】
ブーム２２は、伸縮、揺動、旋回等により吊り上げたものを三次元自由自在に移動させる機能を有し、動力装置を介して打設具３を杭上部へ移動させたり、先行掘りのためにオーガー等を位置決めしたり、杭を埋設するための打設具の位置決め等のために使用される。
【００１５】
打設具３は、作業現場における作業半径を狭める走行レールのついたアタッチメントであるリーダーを有しておらず、直接、建設機械２のブーム２２の先端位置２１に接続される。打設具３は、ブーム２２の先端位置２１に打設具接続装置３１が接続され、当該接続装置３１内に鉄棒３２が挿入され、ワイヤー３６、フック３７、重りを上下方向に駆動させるための移動装置３３でモンケン等の鋼鉄製の重り３４を吊り、クッション３５、アタッチメント３８が順次接続された形で構成される。もっとも、本考案の打設具３は、上記のような構成に限定されるものではなく、埋設する杭に加重をかけることが可能な重りを地面に対して上下方向に駆動させ、杭５に物理的に力を加え、杭を埋設し得る構成であればその構成は問わない。
【００１６】
打設具接続装置３１は、図２のブームの先端を、その上方から描写した図に示されるように、鉄棒の外径よりも僅かに大きい内径を有する、鉄棒３２を固定するための鉄棒固定鋼管３１１を備えるものであり、鉄棒固定鋼管３１１内に鉄棒３２を挿入し、ボルト３１２とナット３１３を用いて、鉄棒固定鋼管３１１と鉄棒３２とが接続されるものである。また、ブームの先端２１には打設具接続装置固定具２１１が溶接され、同固定具２１１、ボルト３１４、ナット３１５を介して、打設具接続装置３１と先端具４が設けられたブーム２２の先端２１とが接続される。このような構成とすれば、鉄棒がどの角度になっても無理なく支持することができ、モンケン等による打設機能を十分に発揮することが可能となるため、より望ましいが、本考案は、かかる構成に限定されるものではない。
【００１７】
さらに、穴掘建柱車を用いて先行掘りを行う場合、建設機械２は、図３に示されるように、ブーム２２の先端位置２１に、回転駆動機構６、鉛直回転軸７、地中の土を掘削するためのオーガー９がそれぞれ接続される。このような構成により、回転駆動機構６を駆動させることでオーガー９を正回転させ、オーガーを一旦地中に埋設し、その後、回転駆動機構６を逆回転することでオーガーを取り出すことで、地中に予め穴を設け、地中の土を柔らかい状態とすることが可能となる。この作業を行えば、地盤の固い地面に杭打ちを行う際、より容易に杭打ちが可能となる。回転駆動機構６、鉛直回転軸７、地中の土を掘削するためのオーガー９は、穴掘建柱車の場合、ブームの側部に格納できるようになっており、穴掘建柱車を利用する場合には、別途持ち運ぶ必要がなくすことも可能となる。
【００１８】
回転駆動機構６は、ブーム２２の先端に垂下された鉛直回転軸７を備えており、回転軸の下方に取付けるオーガーを回転させる機能を果たすものであり、既存の技術のものを利用できる。オーガー９は、たとえば、先端側には掘削用の爪が設けられ、外周面に掘削時に発生する土を掻揚げるための螺旋状の羽根等からなる掻揚機構が設けられた鋼管等を用いることができ、鋼管の外径寸法なども適宜選択することができる。もっとも、上記はあくまで例示であり、特にこれら形状に限定されるものではない。
【００１９】
次に穴掘建柱車２を使用した本考案を実施し、杭を打設する方法について簡単に説明する。なお、以下の本実施の態様では、打設具を用いて杭を打設する前に地中の土を柔らかくするために先行掘りを行う態様を示しているが、これらについては、本考案の杭打装置を用いて行う杭打作業において必須の作業ではない。
【００２０】
まず、地盤の固い場所等では先行掘りを行う。具体的には、杭を打ち込む予定の位置付近に、図３に示されるように、ブーム２２の先端に、鉛直回転軸７を備えた回転駆動機構６、同回転駆動機構６の下端にオーガー９を取り付け、その後、ブーム２２を操作し、オーガー９の下端を、杭５を埋設する位置の直上に移動させ、回転駆動機構６を作動させ、オーガー９を回転させ所定の深さまで掘削し、オーガー９を地中に埋設した後、回転駆動機構６を埋設したときと逆回転させることで、オーガー９を地上まで引き抜く。このような先行掘りを行うことで杭５を埋設する地中の土が柔らかくなった状態とすることができ、以後の杭の埋設を容易にすることができる。また、この先行掘りは杭を埋設する位置において適宜行うものであり、オーガーを地中に埋設する回数、使用するオーガーの数や形状等は適宜変更することができる。先行掘りが終了すれば、ブーム２２の先端から回転駆動機構６やオーガー９等を取り外すか、穴掘建柱車の場合には、ブームの側部に格納する。
【００２１】
次に、地中の土が柔らかくなった状態の杭を打ち込む位置付近で、穴掘建柱車２に接続されているフック３７等を使用し、工事現場に平積みされている杭５を吊り上げ、ブーム２２を操作して杭５を埋設する位置に移動させ建て込む。
【００２２】
次いで、図１に示されるように、建設装置２のブーム２２の先端位置２１に、リーダーを備えていない打設具３を取り付ける。具体的には、ブーム２２の先端に打設具接続装置３１が接続され、当該接続装置３１の下に鉄棒３２、ワイヤー３６、フック３７により鋼鉄製の重り３４を上下方向に駆動させるための移動装置３３を吊り、モンケン等の鋼鉄製の重り３４、クッション３５、アタッチメント３８を順次接続する。打設具３接続後、ブーム２２を操作し、クッション３５及びアタッチメント３８を埋め込まれている杭の上部に接触するように移動させる。クッション３５及びアタッチメント３８が杭５の上部の中心に位置し、接触していることを確認した後、移動装置３３を人力で操作し、鋼鉄製の重りであるモンケン３４を地中に対して上下に何度も動かし、杭に上方から物理的な力を繰り返し加え、杭５を地中の所望の位置まで埋め込む。その他、先行掘りを行った後、杭を挿入する穴をあけ、杭を建て込み、セメントミルクで杭を固めることも可能であり、各工法を兼用して杭を打設することができる。
【００２３】
以上の操作により、所望の位置に杭を埋めこむことができ、最後にブーム２２を操作し、打設具３を杭５の位置から遠ざけ、打設具３を取り外す。
【産業上の利用可能性】
【００２４】
本考案は、上記の実施形態に限定されるものではなく、考案の要旨を逸脱しない範囲内で種々設計変更した形態が含まれる。
【００２５】
本考案は、以上のような構成により、狭い現場において容易に杭を打つことが可能となる。
【符号の説明】
【００２６】
１  杭打装置
２  建設機械
３  打設具
４  先端具
５  杭
６  回転駆動機構
７  鉛直回転軸
８  アタッチメント
９  オーガー
２１  先端位置
２２  ブーム
３１  打設具接続装置
３２  鉄棒
３３  移動装置
３４  鋼鉄製の重り
３５  クッション
３６  ワイヤー
３７  フック
３８  アタッチメント
２１１  打設接続装置固定鋼管
３１１  鉄棒固定鋼管
３１２  ボルト
３１３  ナット
３１４  ボルト
３１５  ナット
【図１】
0003219554.tif 000003
【図２】
0003219554.tif 000004
【図３】
0003219554.tif 000005
【手続補正書】
【提出日】平成30年11月2日(2018.11.2)
【手続補正１】
【補正対象書類名】実用新案登録請求の範囲
【補正対象項目名】請求項１
【補正方法】変更
【補正の内容】
【請求項１】
地中に穴を掘る機能を有する自走式の建設機械に搭載され、関節または伸縮機構により先端位置を三次元方向に移動可能なブームと、打設具と、を備える杭打装置であって、
前記打設具は、前記ブームの先端位置から垂下された位置に、走行レールのついたアタッチメントであるリーダーを有することなく、直接、前記ブームの先端位置に接続されていることを特徴とする杭打装置。